(57)【特許請求の範囲】
【請求項１】
２系統の記録ディジタルデータ信号を記録クロックに同期して磁気記録媒体に記録する２個又は２組の記録ヘッドと、記録されたディジタルデータ信号を記録動作と同時に再生する再生ヘッドと、前記２系統の記録ディジタルデータ信号
の位相を互いに異ならせて前記２個又は２組の記録ヘッドに供給する位相ずらし手段とを備えた磁気記録再生装置。
【請求項２】
位相ずらし手段は、２系統の記録ディジタルデータ信号のうちの一方の記録ディジタルデータ信号を前記記録クロックの２分の１周期期間だけ遅延する遅延手段を備えた請求項１記載の磁気記録再生装置。
【請求項３】
位相ずらし手段は、記録クロック信号を反転した反転クロック信号を生成する反転手段と、２系統の記録ディジタルデータ信号のうちの一方の記録ディジタルデータ信号を前記反転クロック信号でラッチするラッチ手段とを備えたことを特徴とする請求項２記載の磁気記録再生装置。
【発明の詳細な説明】
【０００１】
【発明の属する技術分野】
本発明は、記録データを複数の系統に分割して同時に記録するとともに、記録動作と実質的に同時に再生を行う同時再生機能を備えた磁気記録再生装置に関するものである。
【０００２】
【従来の技術】
放送局用ビデオテープレコーダ（以下放送用ＶＴＲ）では、録画のやり直しが困難であることが多いため、記録の失敗を防ぐ目的から、記録中にほぼ同時に記録内容を再生して確認する同時再生機能が必要である。この同時再生機能を実現するためには、近接した距離に配置された記録ヘッドと再生ヘッド、さらにそれらに信号を伝送する記録用と再生用のロータリトランスなどが同時に動作することから、微弱な再生信号に混入する記録信号からのクロストーク妨害を十分低いレベルに抑える必要がある。
【０００３】
ところで、高い画質で記録を行うためにはデータレートが高くなり、一系統の記録ヘッドで記録することができなくなる。このため、記録データを２系統に分割して複数の記録ヘッドで同時に記録することが行われる。この際には、２系統の記録信号が同時に再生信号に混入するため、クロストーク妨害がいっそう大きくなり、同時再生機能の実現がますます困難になる。
【０００４】
以下に、記録データを２系統に分割して複数の記録ヘッドで同時に記録する従来の放送用ＶＴＲについて、図面を参照しながら説明する。
【０００５】
図４は、従来の放送用ＶＴＲの回転シリンダ上のヘッド配置を示す概略図である。図４において、回転シリンダ７１は反時計回りに回転する。回転シリンダ７１には、記録ヘッド７２ａ、７２ｂ、７３ａ、および７３ｂ、再生ヘッド７４ａ、７４ｂ、７５ａ、および７５ｂが配置されている。また、この回転シリンダ７１には、およそ半周（１８０度）の区間に渡って磁気テープが斜めに巻つけられて走行する（図示せず）。
【０００６】
図５は、テープ上の記録トラックパターンとヘッドの位置関係を示す図である。図５において、磁気テープ８２には斜めにトラックが形成される。トラック８０ａ、８０ｂ、８０ｃ、８０ｄは、それぞれ記録ヘッド７２ａ、７２ｂ、７３ａ、７３ｂによってすでに記録されたトラックである。トラック８１ａ、８１ｂは、図に示すように、それぞれ記録ヘッド７２ａ、７２ｂによって現在記録されつるあるトラックである。このとき、再生ヘッド７４ａ、７４ｂは、それぞれ記録ヘッド７２ａ、７２ｂにやや遅れてトラック８１ａ、８１ｂをトレースして再生を行う。これにより、記録とほぼ同時に再生が行われ、記録状態の確認が行える。また、図示していないが、同様にして、記録ヘッド７３ａ、７３ｂで記録するトラックは、それぞれ再生ヘッド７５ａ、７５ｂで記録とほぼ同時に再生が行われる。
【０００７】
図６は従来のＶＴＲにおける記録再生部の信号系統図である。図６において、記録すべきディジタルデータは、あらかじめ２系統に分割されて、記録データ６８ａ、および記録データ６８ｂとして入力される。また記録クロック７０も入力される。
【０００８】
記録データ６８ａは、ラッチ回路６９ａにおいて記録クロック７０によりラッチされ、記録クロックに同期した記録信号８３ａとなる。同様に、記録データ６８ｂはラッチ回路６９ｂにおいて記録クロック７０によりラッチされ記録信号８３ｂとなる。
【０００９】
記録信号８３ａは、回転シリンダ７１に同期した記録ヘッドスイッチ信号８４ａにより制御されるスイッチ８６ａに入力される。記録ヘッド７２ａが磁気テープに接触している期間は、スイッチ８６ａが上側に接続される。このとき、スイッチ８６ａを経た記録信号は、記録アンプ８８ａにより増幅され、記録ロータリトランス８９ａを経て回転シリンダ７１上の記録ヘッド７２ａに導かれ、磁気テープ上に信号が記録される。また、記録ヘッド７３ａが磁気テープに接触している期間は、スイッチ８６ａが下側に接続される。このときには、スイッチ８６ａを経た記録信号は、記録アンプ９４ａ、記録ロータリトランス９５ａを経て回転シリンダ７１上の記録ヘッド７３ａに導かれ、磁気テープ上に信号が記録される。
【００１０】
全く同様にして、記録信号８３ｂは、回転シリンダ７１に同期した記録ヘッドスイッチ信号８４ｂにより制御されるスイッチ８６ｂに入力される。記録ヘッド７２ｂが磁気テープに接触している期間は、スイッチ８６ｂが上側に接続される。このとき、スイッチ８６ｂを経た記録信号は、記録アンプ８８ｂにより増幅され、記録ロータリトランス８９ｂを経て回転シリンダ７１上の記録ヘッド７２ｂに導かれ、磁気テープ上に信号が記録される。また、記録ヘッド７３ｂが磁気テープに接触している期間は、スイッチ８６ｂが下側に接続される。このときには、スイッチ８６ｂを経た記録信号は、記録アンプ９４ｂ、記録ロータリトランス９５ｂを経て回転シリンダ７１上の記録ヘッド７３ｂに導かれ、磁気テープ上に信号が記録される。
【００１１】
つぎに再生側の動作について説明する。スイッチ８７ａは、回転シリンダ７１に同期した再生ヘッドスイッチ信号８５ａにより制御され、再生ヘッド７４ａが磁気テープに接触している期間は上側に、再生ヘッド７５ａが磁気テープに接触している期間は下側にそれぞれ接続される。したがって、再生ヘッド７４ａが磁気テープに接触している期間は、回転シリンダ７１上の再生ヘッド７４ａにより再生された信号が、再生ロータリトランス９２ａを経て再生アンプ９３ａにて増幅され、スイッチ８７ａを経て等化回路１００ａに入力される。また、再生ヘッド７５ａが磁気テープに接触している期間は、再生ヘッド７５ａにより再生された信号が、再生ロータリトランス９８ａを経て再生アンプ９９ａにて増幅され、スイッチ８７ａ経て等化回路１００ａに入力される。等化回路１００ａでは、記録から再生に至る系の周波数特性を補正して記録したデータの符号の判別が可能なよう等化され、等化信号１０３ａとなる。等化信号１０３ａは、クロック再生回路１０６ａに入力され、再生データに同期したクロック信号１０７ａが得られる。また、等化信号１０３ａは、判別回路１０４ａに入力され、クロック１０７ａのタイミングでデータの符号を判別し、再生データ１０５ａとして出力される。
【００１２】
全く同様にして、スイッチ８７ｂは、回転シリンダ７１に同期した再生ヘッドスイッチ信号８５ｂにより制御され、再生ヘッド７４ｂが磁気テープに接触している期間は上側に、再生ヘッド７５ｂが磁気テープに接触している期間は下側にそれぞれ接続される。したがって、再生ヘッド７４ｂが磁気テープに接触している期間は、回転シリンダ７１上の再生ヘッド７４ｂにより再生された信号が、再生ロータリトランス９２ｂを経て再生アンプ９３ｂにて増幅され、スイッチ８７ｂを経て等化回路１００ｂに入力される。また、再生ヘッド７５ｂが磁気テープに接触している期間は、再生ヘッド７５ｂにより再生された信号が、再生ロータリトランス９８ｂを経て再生アンプ９９ｂにて増幅され、スイッチ８７ｂ経て等化回路１００ｂに入力される。等化回路１００ｂでは、記録から再生に至る系の周波数特性を補正して記録したデータの符号の判別が可能なよう等化され、等化信号１０３ｂとなる。等化信号１０３ｂは、クロック再生回路１０６ｂに入力され、データに同期したクロック信号１０７ｂが得られる。また、等化信号１０３ｂは、判別回路１０４ｂに入力され、クロック１０７ｂのタイミングでデータの符号を判別し、再生データ１０５ｂとして出力される。
【００１３】
ここで、再生ヘッド７４ａ、７４ｂ、７５ａ、ないし７５ｂで磁気テープから再生される信号は極めて微弱であり、記録ヘッド７２ａ、７２ｂ、７３ａ、ないし７３ｂに流す記録電流に比べておよそ７０ｄＢ低い。したがって、記録信号が再生信号に漏れ込むクロストーク妨害が生じる。この際、図５のように、例えば記録ヘッド７２ａと７２ｂは同時に動作するため、再生ヘッド７４ａないし７５ａによる再生信号には、記録信号８３ａおよび８３ｂの２系統の記録信号から同時にクロストーク妨害が発生する。また、再生ヘッド７４ｂないし７５ｂについても、同様に再生信号には２系統の記録信号から同時にクロストーク妨害が発生する。
【００１４】
図７は、２系統の記録信号から同時にクロストーク妨害が発生する場合の妨害の様子を説明する波形図である。
【００１５】
図７（ａ）は、記録信号８３ａが、記録ヘッド７２ａないし７３ａから再生ヘッド７４ａないし７５ａを経て等化信号１０３ａへ混入するクロストーク妨害波形を、記録クロック７０に同期して重ね合わせて示した波形図である。なおここで、Ｔは記録クロック７０の１周期期間である。同様に、図７（ｂ）は、記録信号８３ｂが、記録ヘッド７２ｂないし７３ｂから再生ヘッド７４ａないし７５ａを経て等化信号１０３ａへ混入するクロストーク妨害波形を、記録クロック７０に同期して重ね合わせて示した波形図である。さらに、図７（ｃ）は、記録信号８３ａからのクロストークと記録信号８３ｂからのクロストークが同時にある場合の波形を示したもので、（ａ）の波形と（ｂ）の波形を加算したものである。
【００１６】
ここで、図７（ａ）、（ｂ）に見られるように、記録信号８３ａおよび記録信号８３ｂからのクロストーク妨害は、いずれも同じ時刻にその振幅が最大となる。このため、両者からの妨害が同時にあるとき、図７（ｃ）に示すように、妨害の振幅はいずれか一方のみの場合に比べておよそ２倍に大きくなってしまう。
【００１７】
【発明が解決しようとする課題】
このように、記録信号が２系統ある場合には妨害の振幅はいずれか一方のみの場合に比べておよそ２倍になってしまう。すなわち、同時再生を実現するためには、記録信号が１系統のみの場合に比べて、１系統あたりのクロストーク妨害の大きさを２分の１に抑える必要がある。このため、同時再生機能の実現が困難になってしまう。また、記録信号の系統数がさらに増えれば、一層同時再生が難しくなる。
【００１８】
そこで、本発明の目的は、複数の系統の記録データが同時に記録でき、かつクロストーク妨害の振幅増加を抑えて同時再生機能を備えた磁気記録再生装置を提供することである。
【００１９】
【課題を解決するための手段】
この目的のために本発明の磁気記録再生装置は、２系統の記録ディジタルデータ信号を記録クロックに同期して磁気記録媒体に記録する２個又は２組の記録ヘッドと、記録されたディジタルデータ信号を記録動作と同時に再生する再生ヘッドと、前記２系統の記録ディジタルデータ信号の位相を互いに異ならせて前記２個又は２組の記録ヘッドに供給するようにしたものである。
【００２０】
本発明によれば、複数の系統の記録データが同時に記録される場合であっても、クロストーク妨害の振幅を抑え、同時再生機能を備えた磁気記録再生装置を提供できる。
【００２１】
【発明の実施の形態】
以下、本発明の実施の形態について、図１から図３を用いて説明する。
【００２２】
（実施の形態１）
本発明の実施の形態１による磁気記録再生装置は、先の従来例と同様に記録データを２系統に分割して複数の記録ヘッドで同時に記録するものである。また、図４、図５に示したように、小型の回転シリンダ上に計４個の記録ヘッドと計４個の再生ヘッドを備え、回転シリンダに斜めに巻つけられて走行する磁気テープにディジタルデータを記録し、また再生する点も先の従来例と同様である。従来例と異なる点は、信号系統における記録データの処理にかかわる部分のみであるため、この部分についてのみ説明する。
【００２３】
図１は、本実施の形態の記録再生部の信号系統図である。図６に示した従来例と同機能のブロックおよび信号には同符号を付した。図６の従来例と異なる点は、一方の記録データに対して位相ずらし手段としての遅延回路６４があらたに設けられている点のみである。
【００２４】
記録データ６８ｂは、ラッチ回路６９ｂにおいて記録クロック７０でラッチされ、記録クロック７０に同期した信号８３ｂとなる。遅延回路６４は、信号８３ｂを記録クロックの２分の１周期期間だけ遅延し、記録信号６３ｂを得る。
【００２５】
その結果、記録信号６３ａ（図６の記録信号８３ａと同じ）は記録クロック７０に同期して信号が変化するのに対し、記録信号６３ｂは記録クロックの２分の１周期期間だけずれた時刻で信号が変化する。
【００２６】
図２は、本実施の形態において、２系統の記録信号から同時にクロストーク妨害が発生する場合の妨害の様子を説明する波形図である。
【００２７】
図２（ａ）は、記録信号６３ａが、記録ヘッド７２ａないし７３ａから再生ヘッド７４ａないし７５ａを経て等化信号１０３ａへ混入するクロストーク妨害波形を、記録クロック７０に同期して重ね合わせて示した波形図である。なおここで、Ｔは記録クロック７０の１周期期間である。同様に、図２（ｂ）は、記録信号６３ｂが、記録ヘッド７２ｂないし７３ｂから再生ヘッド７４ａないし７５ａを経て等化信号１０３ａへ混入するクロストーク妨害波形を、記録クロック７０に同期して重ね合わせて示した波形図である。さらに、図２（ｃ）は、記録信号６３ａからのクロストークと記録信号６３ｂからのクロストークが同時にある場合の波形を示したもので、（ａ）の波形と（ｂ）の波形を加算したものである。
【００２８】
ここで、図２（ａ）、（ｂ）に見られるように、記録信号６３ａからのクロストーク妨害と記録信号６３ｂからのクロストーク妨害は、その振幅が最大となる時刻が互いにＴ／２期間だけずれている。これは、遅延回路６４によって記録信号６３ｂの信号の変化時刻が、記録信号６３ａの信号の変化時刻に対してＴ／２期間だけずれているためである。
【００２９】
このため、両者からの妨害が同時にあるときのクロストーク妨害の波形は、図２（ｃ）に示すように、振幅の最大値が一方の２倍とはならず、およそ１．３倍程度に抑えられている。
【００３０】
なお、図２は記録信号６３ａ、記録信号６３ｂから等化信号１０３ａへ混入するクロストーク妨害波形として説明したが、記録信号６３ａ、記録信号６３ｂから等化信号１０３ｂへのクロストーク妨害波形も全く同様である。
【００３１】
以上のように、従来例では図７に示したように妨害の振幅がいずれか一方の記録信号みの場合に比べておよそ２倍になってしまうのに対し、本実施の形態ではおよそ１．３倍程度にしかならない。すなわち、同時再生を実現するためのクロストーク妨害の許容値が従来例にくらべて大きくでき、同時再生機能の実現が容易である。
【００３２】
（実施の形態２）
つぎに、本発明の実施の形態２による磁気記録再生装置について説明する。
【００３３】
本実施の形態が先の実施の形態１と異なる点は、記録データに対する位相ずらし手段の実現方法のみであるのでこの部分についてのみ説明する。
【００３４】
図３は、本実施の形態の記録再生部の信号系統図である。図１に示した実施の形態１と同機能のブロックおよび信号には同符号を付した。実施の形態１と異なる点は、記録データに対する位相ずらし手段としての遅延回路６４に替えて、ラッチ回路６７および反転回路６６が用いられている点である。
【００３５】
記録データ６８ｂは、ラッチ回路６９ｂにおいて記録クロック７０でラッチされ、記録クロック７０に同期した信号８３ｂとなる。信号８３ｂは、ラッチ回路６７に入力される。また、反転回路６６は記録クロック７０を反転して反転クロック６５をラッチ回路６７のクロックとして入力する。その結果、反転クロック６５に同期した記録信号６３ｂが得られる。なお、記録クロック７０のデューティー比はおよそ５０％であるものとする。
【００３６】
その結果、記録信号６３ａは記録クロック７０に同期して信号が変化するのに対し、記録信号６３ｂはおよそ記録クロックの２分の１周期期間だけずれた時刻で信号が変化する。
【００３７】
これにより、先の実施の形態１と全く同様に、記録信号からのクロストーク妨害波形は図２に示す関係になる。すなわち、従来例では妨害の振幅がいずれか一方の記録信号みの場合に比べておよそ２倍になってしまうのに対し、本実施の形態ではおよそ１．３倍程度にしかならない。このため、同時再生を実現するためのクロストーク妨害の許容値が従来例にくらべて大きくなり、同時再生機能が比較的容易に実現できる。
【００３８】
なお、上述した実施の形態１，２では、記録データを２系統にして２つのヘッドで同時に記録を行う２チャネル構成について説明したが、本発明はこれに限られるものではない。すなわち、より高いデータレートの記録再生を行うために、さらにチャネル数を多くして信号をＮ系統（Ｎは２以上）にして記録再生を行う場合にも、１つないしはいくつかの記録データの位相を互いにずらすことで同様に構成できる。
【００３９】
さらに、上記した実施の形態１，２では、１系統あたりの信号を、１８０度対向する位置にある２個からなる１組のヘッドで交互に記録ないし再生する例で説明したが、１系統あたりの信号を１個のヘッドで記録あるいは再生する構成でもよい。また、１系統あたりの信号を３個以上のヘッドで交互に記録、再生する構成でもよい。
【００４０】
また、上記した実施の形態１，２では回転シリンダ上にヘッドを搭載した磁気記録再生装置の例で説明したが、本発明はこれに限られるものではない。すなわち、固定ヘッドを用いたテープ記録装置や、ハードディスクのように回転媒体に記録する装置であってもよい。
【００４１】
【発明の効果】
以上のように本発明によれば、複数の系統の記録データが同時に記録される場合であっても、記録データの位相を互いに異ならせることでクロストーク妨害の振幅増加を抑え、同時再生機能を備えた磁気記録再生装置を提供できる。
【図面の簡単な説明】
【図１】本発明の実施の形態１による磁気記録再生装置の記録再生部の信号系統図
【図２】本発明の実施の形態１，２による磁気記録再生装置のクロストーク妨害の波形図
【図３】本発明の実施の形態２による磁気記録再生装置の記録再生部の信号系統図
【図４】本発明の実施の形態１，２、および従来の磁気記録再生装置における回転シリンダ上のヘッド配置を示す概略図
【図５】本発明の実施の形態１，２、および従来の磁気記録再生装置における磁気テープ上の記録トラックとヘッド配置との関係を示す概略図
【図６】従来例の記録再生部の信号系統図
【図７】従来の磁気記録再生装置のクロストーク妨害の波形図
【符号の説明】
６４  遅延回路
６６  反転回路
６７、６９ａ、６９ｂ  ラッチ回路
７１  回転シリンダ
７２ａ、７２ｂ、７３ａ、７３ｂ  記録ヘッド
７４ａ、７４ｂ、７５ａ、７５ｂ  再生ヘッド
８２  磁気テープ
【図１】
0003580086.tif 000002
【図２】
0003580086.tif 000003
【図３】
0003580086.tif 000004
【図４】
0003580086.tif 000005
【図５】
0003580086.tif 000006
【図６】
0003580086.tif 000007
【図７】
0003580086.tif 000008